(57)【要約】【課題】従来の真下を照明する照明器具の部品をできるだけ流用して、被取付部である天井面に直交する壁面を照明することができる照明器具を提供する。【解決手段】被取付部１１に枠体２０を取付け、枠体２０が灯具３０を支持する。灯具３０は、照明方向前部にＬＥＤ３４１を実装したＬＥＤ実装基板３４を有するとともに照明方向後部に放熱フィン３１１を有する。そして、枠体２０の前側に、被取付部１１に対して傾斜した照明方向に開口２５を有するとともに、ＬＥＤ実装基板３４等が設けられている灯具３０の先端部が取付可能な延設部２４を設けたので、従来の照明器具で用いられている灯具３０を延設部２４に取り付けることができる。これにより、コストダウンを図ることができる。【選択図】図１
2012226913.tif 000002
【特許請求の範囲】
【請求項１】
前部にＬＥＤを実装したＬＥＤ実装基板を有するとともに後部に放熱フィンを有する灯具と、
被取付部に取り付けられるとともに前記灯具を支持する枠体と、を有し、
前記枠体の前側に、前記被取付部に対して傾斜した開口を有するとともに、前記ＬＥＤ実装基板が設けられている前記灯具の先端部を前記被取付部に対して傾斜させて取付可能な延設部を設けた照明器具。
【発明の詳細な説明】
【技術分野】
【０００１】
本発明は、天井面に埋込式で取り付けて下方を照明するのに好適な照明器具に関するものである。
【背景技術】
【０００２】
従来より、天井面に埋め込んで取り付けて下方を照明するのに、ダウンライトのような照明器具が用いられている（例えば、特許文献１参照）。
図６に示すように、照明器具１００は、熱伝導性の筒状本体１０１を有する。筒状本体１０１の先端には、開口の周囲に化粧枠１０２が設けられ、筒状本体１０１の内部には、発光素子としてのＬＥＤが実装された基板１０３が取り付けられる。
また、筒状本体１０１の内部には、点灯回路装置を含む電源ユニット１０４と、基板１０３のＬＥＤから発せられた光を所定の方向へ反射する反射体１０５と、反射体１０５の前方に配設された透光性カバー１０６とを備えている。また、筒状本体１０１の外面には、端子台１０７が配置されており、化粧枠１０２には、一対の取付け用板ばね１０８が装着されている。
【０００３】
従って、照明器具１００は、被取付部である天井面に設けられている埋込孔に筒状本体１０１を埋め込み、化粧枠１０２と取付け用板ばね１０８との間に天井面を挟むことにより、照明器具１００を取り付けている。
【先行技術文献】
【特許文献】
【０００４】
【特許文献１】特開２０１０−００３６７７号公報（第１図）
【発明の概要】
【発明が解決しようとする課題】
【０００５】
前述したような、従来の照明器具においては、ＬＥＤが実装された基板１０３や反射体１０５が天井面と平行に設けられ、ＬＥＤは天井面に直交する真下に向いており、下方を照明するものである。
従って、天井面に直交する壁面を照明する場合には、反射光が壁面に向くように、反射板を個々に設計するのが一般的であり、従来の反射板等の部品を流用することができず、コストアップを招くという問題があった。
【０００６】
本発明は、従来の問題を解決するためになされたもので、従来の真下を照明する照明器具の部品をできるだけ流用してコストダウンを図ることができる照明器具を提供することを目的とする。
【課題を解決するための手段】
【０００７】
本発明の照明器具は、前部にＬＥＤを実装したＬＥＤ実装基板を有するとともに後部に放熱フィンを有する灯具と、被取付部に取り付けられるとともに前記灯具を支持する枠体と、を有し、前記枠体の前側に、前記被取付部に対して傾斜した開口を有するとともに、前記ＬＥＤ実装基板が設けられている前記灯具の先端部を前記被取付部に対して傾斜させて取付可能な延設部を設けたものである。
【発明の効果】
【０００８】
本発明は、枠体の前側に、被取付部に対して傾斜した照明方向に開口を有するとともに、ＬＥＤ実装基板が設けられている灯具の先端部を被取付部に対して傾斜して取付可能な延設部を設けたので、従来の照明器具で用いられている灯具を延設部に取り付けることができ、コストダウンを図ることができるという効果を有する照明器具を提供できる。
【図面の簡単な説明】
【０００９】
【図１】本発明に係る実施形態の照明器具を天井面に取り付けて壁面を照明する状態を示す断面図
【図２】本発明に係る実施形態の照明器具の分解斜視図
【図３】（Ａ）は本発明に係る実施形態の照明器具の側面図および部分断面図であり、（Ｂ）は（Ａ）中Ｂ部分の拡大図
【図４】（Ａ）は（Ｂ）中Ａ方向から見た枠体の側面図であり、（Ｂ）は（Ａ）中Ｂ−Ｂ位置の断面図
【図５】ＬＥＤから発せられた光のうち壁面と反対側に照射された光の光路を示す断面図
【図６】従来の照明器具の斜視図
【発明を実施するための形態】
【００１０】
以下、本発明に係る実施形態の照明器具について、図面を用いて説明する。
図１に示すように、本発明に係る実施形態の照明器具１０は、被取付部である天井面１１に設けられている取付け開口１２に埋め込んで取付けられ、天井面１１と直交する壁面１３を照明するものである。
【００１１】
図１および図２に示すように、照明器具１０は、天井面１１に取り付けられる枠体２０と、枠体２０に支持される灯具３０を有する。
枠体２０は、天井面１１の取付け開口１２に嵌め込まれる円筒形状の枠体本体２１を有し、枠体本体２１の下端には、天井面１１に当接する鍔部２２を有する。枠体本体２１の外面には、枠体２０を天井面１１に取り付けるための取付ばね２３が、所定間隔で複数個（例えば、３個）設けられている。取付ばね２３は、常時下方（図２中矢印Ａ方向）へ付勢されている。
従って、鍔部２２と取付ばね２３との間に天井面１１を挟むことにより、枠体２０を天井面１１に固定する。
【００１２】
枠体本体２１の前側（図１において下方）には、天井面１１に対して傾斜した開口２５を有する延設部２４が一体的に設けられている。延設部２４は、球体の一部を模した形状とすることができる。あるいは、円筒形状とすることも可能である。
また、延設部２４の内部には、灯具３０の先端部（下部）を収容可能な空間が設けられている。
【００１３】
灯具３０は、多数の放熱フィン３１１を上下方向に有する灯具本体３１を有し、灯具本体３１の後部（上部）には点灯電源装置３２が取り付けられている。灯具３０の前面（下面）は、略円形をしており、内部には、熱伝導シート３３を介して、ＬＥＤ３４１が実装されているＬＥＤ実装基板３４が取り付けられる。
従って、ＬＥＤ３４１が発した熱は、ＬＥＤ実装基板３４から熱伝導シート３３に伝達され、放熱フィン３１に伝達されて放熱される。
【００１４】
ＬＥＤ実装基板３４の前面（下面）には、ＬＥＤ３４１に対応して開口３５１が設けられ、ＬＥＤ３４１の光を前方（下方）へ反射する反射板３５が取り付けられる。さらに、反射板３５の前側には前面パネル３６が設けられており、パッキン３７を介して枠体２０に取り付けられる。
灯具３０は、従来より真下を照明するのに用いられているダウンライト等と共通のものを用いることが可能であり、後述するように、枠体本体２１に対して、傾斜して取り付けられる。
【００１５】
図３および図４に示すように、枠体２０の前側に、天井面１１に対して傾斜した開口２５を有する延設部２４を設けた。延設部２４の内部には、ＬＥＤ実装基板３４、反射板３５、前面パネル３６等の部品が取付けられている灯具３０の先端部が、天井面１１に対して傾斜した状態で取付可能になっている。
このため、灯具３０として、従来より真下を照明する照明器具に用いられているものを用い、枠体本体２１に対して傾斜させて、延設部２４の延設方向に取り付けることができる。
【００１６】
なお、延設部２４の突出長さは、天井面１１側の突出長さＨ２よりも、天井面１１と反対側の突出長さＨ１の方が大きくなるようにするのが望ましい。すなわち、Ｈ１＞Ｈ２となるように設定するのが望ましい。
これにより、効率よく壁面１３を照明することができる。
【００１７】
従って、図５に示すように、ＬＥＤ実装基板３４に実装されたＬＥＤ３４１（図２参照）から発せられた光のうち、被照射面である壁面１３から遠い方向へ向かった光ＬＢ１は、突出長さＨ１が長い延設部２４の内面２４１に照射される。光ＬＢ１は、延設部２４の内面で反射して、壁面１３へ向かう（光ＬＢ２）。
なお、ＬＥＤ３４１から発せられた光のうち、真っ直ぐに照射された光および壁面１３側に照射された光は、直接、壁面１３に照射される。
【００１８】
以上、説明した本発明に係る実施形態の照明器具１０によれば、天井面１１の取付け開口１２に枠体２０を取付け、枠体２０が灯具３０を支持する。灯具３０は、照明方向前部にＬＥＤ３４１を実装したＬＥＤ実装基板３４を有するとともに照明方向後部に放熱フィン３１１を有する。
そして、枠体２０の前側に、天井面１１に対して傾斜した照明方向に開口２５を有するとともに、ＬＥＤ実装基板３４等の部品が設けられている灯具３０の先端部を天井面１１に対して傾斜した状態で取付可能な延設部２４を設けた。このため、従来の真下を照明する照明器具で用いられている灯具３０、すなわちＬＥＤ実装基板３４、反射板３５、前面パネル３６等の部品を延設部２４に取り付けることができ、コストダウンを図ることができる。
【００１９】
なお、本発明の照明器具は、前述した実施形態に限定されるものでなく、適宜な変形，改良等が可能である。
例えば、前述した実施形態においては、延設部２４に取り付けた灯具３０の中心軸を、延設部２４の開口２５に直交しない場合について図示および説明したが、灯具３０を開口２５に直交する方向に取り付けることもできる。
【符号の説明】
【００２０】
１０  照明器具
１１  天井面（被取付部）
２０  枠体
２４  延設部
２５  開口
３０  灯具
３１１  放熱フィン
３４  ＬＥＤ実装基板
３４１  ＬＥＤ
Ｈ１  天井面と反対側の突出長さ（被取付部と反対側の突出長さ）
Ｈ２  天井面側の突出長さ（被取付部側の突出長さ）
【図１】
2012226913.tif 000003
【図２】
2012226913.tif 000004
【図３】
2012226913.tif 000005
【図４】
2012226913.tif 000006
【図５】
2012226913.tif 000007
【図６】
2012226913.tif 000008